(57)【要約】陰極線管用の磁界補償巻線配置は、環境磁界を補償するために前記陰極線管に配置された磁界補償巻線を含んでいる。演算増幅器は、前記巻線に磁界補償電流を生成するために使用される。一組のデジタル／アナログ変換器は、それぞれ前記磁界補償電流を制御するために前記増幅器に結合される一組の信号を生成するために使用される。
2005528825.tif 000002
【特許請求の範囲】
【請求項１】
磁界補償装置であって：
磁界補償情報を含むデジタル暗号化信号に応答し、前記デジタル暗号化信号から前記磁界補償情報を含む第一アナログ信号を生成するための第一デジタル／アナログ変換器；
陰極線管に配置された磁界補償巻線；
前記第一アナログ信号に応答し、前記磁界補償巻線に電流を発生させるために前記磁界補償巻線に結合された出力を有する増幅器であって、前記電流は環境磁界を補償する磁界を前記陰極線管のビーム経路に発生させる、ところの前記増幅器；及び
第二アナログ信号に従って前記電流を変える前記増幅器の入力に結合された前記第二アナログ信号を生成するための第二アナログ／デジタル変換器；
から構成される磁界補償装置。
【請求項２】
請求項１記載の装置であって、前記第二アナログ信号はエラー補償を提供するために前記第一アナログ信号の変化をトラッキングし、また、前記磁界補償電流は前記第一アナログ信号と前記第二アナログ信号との差に従って制御される、磁界補償装置。
【請求項３】
請求項１記載の装置であって、前記デジタル／アナログ信号変換器は一つの集積回路に含まれる別々のユニットである、磁界補償装置。
【請求項４】
請求項１記載の装置であって、前記デジタル／アナログ信号変換器は共通供給電圧によって加圧される、磁界補償装置。
【請求項５】
請求項１記載の装置であって、前記増幅器は差動、入力ステージを有し、前記第一アナログ信号は前記増幅器の反転入力及び非反転入力の一方に結合され、また、前記第二アナログ信号は前記増幅器の反転入力及び非反転入力の他方に結合されている、磁界補償装置。
【請求項６】
請求項１記載の装置であって、前記補償巻線は供給電圧源に結合され、前記電流の極性は前記増幅器の出力電圧と前記供給電圧との間の差に従って変化し、また、前記増幅器出力電圧の極性は前記電流が第一極性である場合及び前記電流が前記第一極性と反対の極性である場合のいずれの場合にも同じのままである、磁界補償装置。
【請求項７】
請求項１記載の装置であって、前記巻線のインピーダンスへの前記電流の依存を減少させるために前記増幅器に結合された電流陰性フィードバック経路を更に有する、磁界補償装置。
【請求項８】
請求項１記載の装置であって、前記第二デジタル／アナログ変換器の入力に結合された第二デジタル暗号化信号源を更に有し、消磁の期間には、前記電流の生成を防止するために前記第一デジタル暗号化信号及び前記第二デジタル暗号化信号の値が同じになるようにされている、磁界補償装置。
【請求項９】
磁界補償装置であって：
環境磁界を補償するために陰極線管のビーム経路に磁界を発生させるべく前記陰極線管に配置された磁界補償巻線；
前記巻線に磁界補償電流を生成するために前記巻線に結合されている出力を有する増幅器；及び
第一信号及び第二信号をそれぞれ生成し、前記第一信号と前記第二信号の差に従って前記磁界補償電流を制御するために前記増幅器に結合されている第一半導体ステージ及びこれと別途の第二半導体ステージ；
から構成され、
前記第一信号のために選択された最初の値からの偏差が対応する前記第二信号の値の変化によって補償される、ところの磁界補償装置。
【請求項１０】
請求項９記載の装置であって、前記半導体ステージは一つの集積回路に含まれる、磁界補償装置。
【請求項１１】
磁界補償装置であって：
磁界補償情報を含む第一信号を生成するための第一半導体ステージ；
陰極線管に配置された磁界補償巻線；
前記第一信号に応答し、前記磁界補償巻線に電流を発生させるために前記磁界補償巻線に結合された出力を有する増幅器であって、前記電流は環境磁界を補償する磁界を前記陰極線管のビーム経路に発生させる、ところの前記増幅器；及び
前記第一信号から導入されたエラーを補償するために前記増幅器の入力に結合される第二信号を生成するための共通集積回路の第二半導体ステージ；
から構成される磁界補償装置。
【請求項１２】
請求項１１記載の装置であって、前記半導体ステージらはそれぞれ対応するデジタル／アナログ変換器を有する、磁界補償装置。
【発明の詳細な説明】
【発明の詳細な説明】
【０００１】
本特許出願は、２００２年４月１９日に出願された仮特許出願第６０／３７３，８７４号からの優先権を主張するものである。
［発明の技術分野］
本発明は、ビデオ装置のためのバス制御配置に関するものである。より詳細には、地球の磁界を補償するために陰極線管（ＣＲＴ）に取り付けられた巻線の電流を調整するための配置に関するものである。
［発明の背景］
磁界補償装置と称されるブレイディガン（Ｂｒｅｉｄｉｇａｎ）等による米国特許第５，１６８，１９５号には、環境磁界、特に地球磁場による望まれない電子ビームの反射を減少させるカラーテレビ管などの走査電子ビームディスプレイのための補償コイルが記載されている。このコイルは巻き線をＺ軸の垂直方向にチューブネックを取り囲むように配している。チューブエンベロープ内の金属部材を消磁するために、そのチューブエンベロープに消磁コイルが配されている。より完全な消磁を図るべく、補償コイルへの電流の供給は、消磁作業の際には中断される。
【０００２】
ＣＲＴ内における負荷サイクル変調制御信号を使用したバス制御配置と称されるウィルバー（Ｗｉｌｂｅｒ）等による米国特許第５，７３９，６３８号には、デジタル／アナログ変換器にデジタル暗号化信号を与えるマイクロプロセッサを使用する配置が記載されている。そのデジタル／アナログ変換器から出力される電圧はパワーアンプを介して補償コイルに与えられる。
【０００３】
そのパワーアンプにおいて、補償コイルと並列に接続されている電流検出抵抗にわたって発生した電圧を制御するために、差動電流検出配置が使用されている。これにより、補償コイルにおける電流は、補償コイルの抵抗値に左右されなくなる。これは、有意に抵抗の異なるＺコイルが同一の回転範囲を享受することを可能ならしめる。
【０００４】
発明の特徴を実行するにあたって、共通の基盤上の集積回路（ＩＣ）に設けられた一組のデジタル／アナログ変換器に対応する一組の差動出力信号が対応する反転及び非反転のパワーアンプの入力と結合される。このような配置によって、前記一組の差動出力信号の間のトラッキングが促進される。
【０００５】
消磁の期間では、前記一組のデジタル／アナログ変換器は同じデジタル値、例えば中点値、を変換するようにプログラムされている。前記一組の差動出力信号のトラッキングによって、効果的で正確なゼロ電流が消磁の期間に生成される。この消磁の期間以外では、一方のデジタル／アナログ変換器が中点値のままで、他方のデジタル／アナログ変換器が、上記地球の磁界の補償の必要によって、高い値又は低い値のいずれかに調整することが可能である。
［発明の概要］
発明の特徴を包含する磁界補償装置は、磁界補償情報を含むデジタル暗号化信号に応答し、前記デジタル暗号化信号から前記磁界補償情報を含む第一アナログ信号を生成するための第一デジタル／アナログ変換器を含んでいる。磁界補償巻線が陰極線管に配置されている。増幅器が前記第一アナログ信号に応答し、前記磁界補償巻線に電流を発生させるために前記磁界補償巻線に結合された出力を有する。前記電流は環境磁界を補償する磁界を前記陰極線管のビーム経路に発生させる。第二アナログ／デジタル変換器は、第二アナログ信号に従って前記電流を変える前記増幅器の入力に結合された前記第二アナログ信号を生成する。
［実施例の詳細な説明］
図１Ａ及び図１Ｂは本発明の一側面に係るビデオディスプレイ用のバス制御Ｚ軸又は偏向補償配置を表している。図１Ｂに示されている従来のデジタル／アナログ変換器（ＤＡＣ）１０２ａの出力信号Ｚ＿ＣＯＩＬ＿ＲＥＦは、図１Ａの抵抗Ｒ１を介して、演算増幅器Ｕ１の非反転入力端子１０６に結合している。従来のＤＡＣ１０２ｂの出力信号Ｚ＿ＣＯＩＬは、抵抗Ｒ９を介して、演算増幅器Ｕ１の反転入力端子１０４に結合している。図１ＢのＤＡＣ１０２ａ及びＤＡＣ１０２ｂのそれぞれは、Ｉ２ＣバスＢＵＳで発生したデジタル暗号化信号１０３に応答し、デジタル暗号化信号１０３のデジタル値に従い、対応する出力信号Ｚ＿ＣＯＩＬ＿ＲＥＦ及びＺ＿ＣＯＩＬを生成する。
【０００６】
図１Ａの増幅器Ｕ１の出力端子Ｕ１ａは、エミッタにて電流を引き込むことができるエミッタホロワＰＮＰトランジスタＱ１のベース電極に結合している。
【０００７】
また、出力端子Ｕ１ａは、エミッタにて電流をソースすることができるエミッタホロワＮＰＮトランジスタＱ２のベース電極に結合している。トランジスタＱ１のコレクタ電極は、電流規制抵抗Ｒ４を介して、共通の電位又は接地に結合している。トランジスタＱ２のコレクタ電極は、電流規制抵抗Ｒ５を介して、増幅器Ｕ１の供給電圧Ｖ１に結合している。
【０００８】
トランジスタＱ１とＱ２のエミッタの間の結合端子１０１は、フィードバック抵抗Ｒ７を介して、増幅器Ｕ１の反転入力端子１０４に結合している。電流検出抵抗Ｒ６の端子１０５は、フィードバック抵抗Ｒ２を介して、増幅器Ｕ１の非反転入力端子１０６に結合している。フィードバック抵抗Ｒ７とＲ２は、非反転入力端子１０６における電圧Ｖ４と同等になるように、電圧Ｖ３を反転入力端子１０４にて生じさせる。端子１０１で生じる電圧Ｖ１０１と端子１０５で生じる電圧Ｖ１０５との差は、信号Ｚ＿ＣＯＩＬ＿ＲＥＦと信号Ｚ＿ＣＯＩＬの差のフィードバックによって、制御される。
【０００９】
トランジスタＱ１とＱ２のエミッタの間に形成された結合端子１０１は、電流検出抵抗Ｒ６を介して、補償即ちＺコイルＷ１に結合している。コイルＷ１は、ＣＲＴ２２のビーム付近に磁界を発生させるための変換器としての役割を果たしている。地球上の磁界を補償するためのコイルＷ１の働きは、広く知られており、例えば、ハートマン（Ｈａｒｔｍａｎｎ）等の米国特許第５，０１５，９１５号において紹介されている。コイルＷ１の第二端の端子は、供給電圧Ｖ１のおよそ半分の供給電圧Ｖ２に結合している。
【００１０】
端子１０１の電圧Ｖ１０１が電圧Ｖ２よりも陽性である場合、コイルＷ１の電流ｉＷ１は陽性である。反対に、電圧Ｖ１０１が電圧Ｖ２よりも陽性でない場合には、コイルＷ１の電流ｉＷ１は陰性である。従って、電流ｉＷ１の二つの極性は、いずれも陽性の電圧である供給電圧Ｖ１とＶ２を利用して得られる。
【００１１】
抵抗Ｒ７とＲ２によって形成された差動電流検出配置は、補償コイルＷ１と並列に結合された電流検出抵抗Ｒ６の両端に発生する電圧Ｖ１０１とＶ１０５との間の差の電圧を制御するために、使用される。これにより、補償コイルＷ１の電流ｉＷ１は、補償コイルＷ１が有する抵抗の値とは無関係となる。これは、有意に抵抗の異なるＺコイルが、有利に同一の回転範囲を享受することを可能ならしめる。
【００１２】
共通基板上のタイプＴＤＡ８４４４の集積回路（ＩＣ）に設けられた前記図１ＢのＤＡＣ１０２ａ及びＤＡＣ１０２ｂによる前記一組の差動出力信号Ｚ＿ＣＯＩＬ＿ＲＥＦ及びＺ＿ＣＯＩＬは、それぞれ図１Ａの増幅器Ｕ１の非反転及び反転入力１０６及び１０４に結合している。また、供給電圧Ｖ５はＤＡＣ１０２ａ及びＤＡＣ１０２ｂに対して共通に結合している。このような配置は、前記一組の差動出力信号Ｚ＿ＣＯＩＬ＿ＲＥＦとＺ＿ＣＯＩＬとのトラッキングを促進するものである。例えば、信号Ｚ＿ＣＯＩＬには磁界補償情報が含まれているのに対し、信号Ｚ＿ＣＯＩＬ＿ＲＥＦには磁界補償情報が一切含まれていないことがある。その代わりに、信号Ｚ＿ＣＯＩＬ＿ＲＥＦは、気温の変化、供給電圧Ｖ５の変化、或いはＩＣ１０２の部品老朽化に関連する変化から導かれた信号Ｚ＿ＣＯＩＬの変化をトラッキングすることができる。これにより、コモンモード除去による補償が有利に提供される。
【００１３】
消磁の期間では、（図示せず）、前記一組のデジタル／アナログ変換器は同じデジタル値、例えば中点値、を変換するようにプログラムされている。この一組の差動出力信号のトラッキングによって、効果的で正確なゼロ電流が消磁の期間に生成される。この消磁の期間以外では、一方のデジタル／アナログ変換器が中点値のままで、他方のデジタル／アナログ変換器が、上記地球の磁界の補償の必要によって、高い値又は低い値のいずれかに調整することが可能である。
【図面の簡単な説明】
【００１４】
【図１Ａ】図１Ａは本発明の一側面に係るビデオディスプレイ用のバス制御Ｚ軸又は偏向補償配置を表している。
【図１Ｂ】図１Ｂは本発明の一側面に係るビデオディスプレイ用のバス制御Ｚ軸又は偏向補償配置を表している。
【図１Ａ】
2005528825.tif 000003
【図１Ｂ】
2005528825.tif 000004
【国際調査報告】
2005528825.tif 000005